(57)【要約】【課題】副鏡が設置される封止部の、金属箔とリード線との接続領域の過熱を抑制する光源装置およびこれを用いたプロジェクターを提供する。【解決手段】光源装置３は、照明光軸Ｌに沿って配置された発光部３３、第１封止部３１、第２封止部３２を有する発光管３０と、発光管３０の第１封止部３１側に設置され、発光管３０から射出された光束を被照明領域側に向けて反射する反射膜４３を有するリフレクター４０と、第２封止部３２側に設置され、発光管３０から射出された光束の一部を発光部３３に向けて反射する反射膜５３を有する副鏡本体５１と、第２封止部３２に固定されて副鏡本体５１を支持する取付部５２とを有すると共に、第２封止部３２に内蔵される第２リード線３２２と第２金属箔３２１との接続領域Ｔに相対する部位に、切欠部５２５を有する副鏡５０と、を備える。【選択図】図２
2012089356.tif 000002
【特許請求の範囲】
【請求項１】
照明光軸に沿って配置された一対の電極を内蔵する発光部と、前記照明光軸に沿って前記発光部の両側に設けられ、前記電極の一方から延出する第１リード線と当該第１リード線と接続する第１金属箔を内蔵する第１封止部、および前記電極の他方から延出する第２リード線と当該第２リード線と接続する第２金属箔を内蔵する第２封止部とを有する発光管と、
前記発光管の前記第１封止部側に設置され、前記発光管から射出された光束を被照明領域側に向けて反射する主反射面を有するリフレクターと、
前記第２封止部側に設置され、前記発光管から射出された光束の一部を前記発光部に向けて反射する副反射面を有する本体部と、前記第２封止部に固定されて前記本体部を支持する取付部とを有すると共に、前記第２リード線と前記第２金属箔との接続領域に相対する部位に、外面から内面に貫通する切欠部を有する副鏡と、
を備えることを特徴とする光源装置。
【請求項２】
請求項１に記載の光源装置であって、
前記副鏡は、前記切欠部から前記発光部に空気を通す通気部を有していることを特徴とする光源装置。
【請求項３】
請求項１または請求項２に記載の光源装置であって、
前記切欠部は、前記取付部において、前記本体部とは逆側となる端部を開口していることを特徴とする光源装置。
【請求項４】
請求項１〜請求項３のいずれか一項に記載の光源装置であって、
前記切欠部は、前記本体部から離れるに従って切り欠き幅が狭まる形状を有していることを特徴とする光源装置。
【請求項５】
請求項１〜請求項４のいずれか一項に記載の光源装置であって、
前記切欠部は、水平方向に切欠かれて形成されていることを特徴とする光源装置。
【請求項６】
請求項５に記載の光源装置であって、
前記切欠部は、前記水平方向の２箇所に形成されていることを特徴とする光源装置。
【請求項７】
請求項１〜請求項６のいずれか一項に記載の光源装置を備え、当該光源装置から射出される光束を画像情報に基づいて変調して投写することを特徴とするプロジェクター。
【請求項８】
請求項７に記載のプロジェクターであって、
前記水平方向に前記照明光軸に対して対称となる位置に形成され、前記副鏡に向けて冷却空気が送風される一対の送風口を備えていることを特徴とするプロジェクター。
【発明の詳細な説明】
【技術分野】
【０００１】
本発明は、光源装置及びプロジェクターに関する。
【背景技術】
【０００２】
従来、発光管に副鏡を有する光源装置が知られている。このような光源装置では、発光管での発熱や、それに伴う副鏡の発熱が問題となる。この問題に対して下記のような、熱対策構造がとられている。
【０００３】
特許文献１では、副反射鏡（副鏡）が、筒型のボトム部を発光管の一方の封止部に外嵌して装着され、そのボトム部側に、副反射鏡の正面側から背面側へ通ずる空隙を形成することにより、副反射鏡と、発光管の発光部との間の隙間に、その隙間から高温の熱気を逃散させる気流を流通させる構造が開示されている。この構造により、副反射鏡と対向する発光部の外表面の局部的な過熱による発光部の膨れや破裂を防止している。
【０００４】
特許文献２では、反射鏡付き高圧放電ランプの発光管の封止部に装着された、発光管と同じ材質からなる副反射鏡のボトム部側に、副反射鏡と封止部とを溶着することが開示されている。この構造により、従来の固着材である無機質セメントを使用しないことで、熱膨張率の違いによるランプ点消灯時のクラックの発生を防止している。
【先行技術文献】
【特許文献】
【０００５】
【特許文献１】特開２００７−３３５２７０号公報
【特許文献２】特開２００８−５３０２１号公報
【発明の概要】
【発明が解決しようとする課題】
【０００６】
しかしながら、発光管は、副反射鏡と対向する発光部の外表面が局部的に過熱されるのみでなく、副鏡が固定される側の発光管の封止部において、この封止部に封入されている金属箔と、電極を形成するリード線との接続領域が過熱されていることが課題となる。上記特許文献１、２の場合、このことには触れられていない。
従って、副鏡が設置される封止部において、金属箔とリード線との接続領域の過熱を抑制する光源装置およびこれを用いたプロジェクターが要望されていた。
【課題を解決するための手段】
【０００７】
本発明は、上述した課題の少なくとも一部を解決するためになされたものであり、以下の形態または適用例として実現することが可能である。
【０００８】
（適用例１）本適用例に係る光源装置は、（ａ）照明光軸に沿って配置された一対の電極を内蔵する発光部と、照明光軸に沿って発光部の両側に設けられ、電極の一方から延出する第１リード線と第１リード線と接続する第１金属箔を内蔵する第１封止部、および電極の他方から延出する第２リード線と第２リード線と接続する第２金属箔を内蔵する第２封止部とを有する発光管と、（ｂ）発光管の第１封止部側に設置され、発光管から射出された光束を被照明領域側に向けて反射する主反射面を有するリフレクターと、（ｃ）第２封止部側に設置され、発光管から射出された光束の一部を発光部に向けて反射する副反射面を有する本体部と、第２封止部に固定されて本体部を支持する取付部とを有すると共に、第２リード線と第２金属箔との接続領域に相対する部位に、外面から内面に貫通する切欠部を有する副鏡と、を備えることを特徴とする。
【０００９】
このような光源装置によれば、第２リード線と第２金属箔との接続領域に対応する第２封止部の領域が、副鏡の取付部等で完全に覆われることなく、切欠部を介して露出させることで、接続領域の過熱を抑制することができる。
【００１０】
（適用例２）上記適用例に係る光源装置において、副鏡は、切欠部から発光部に空気を通す通気部を有していることが好ましい。
【００１１】
このような光源装置によれば、接続領域の過熱を抑制すると共に、通気部を介して発光部の冷却も行うことができる。
【００１２】
（適用例３）上記適用例に係る光源装置において、切欠部は、取付部において、本体部とは逆側となる端部を開口していることが好ましい。
【００１３】
このような光源装置によれば、第２リード線と第２金属箔との接続領域に加えて、第２金属箔の領域に対応する第２封止部の領域を露出させることができるため、第２金属箔の過熱を抑制することができる。これにより、接続領域の冷却効果を更に向上することができる。
【００１４】
（適用例４）上記適用例に係る光源装置において、切欠部は、本体部から離れるに従って切り欠き幅が狭まる形状を有していることが好ましい。
【００１５】
このような光源装置によれば、取付部を第２封止部に固定する面積を拡大することができるため、副鏡の第２封止部への固定力を向上させることができる。
【００１６】
（適用例５）上記適用例に係る光源装置において、切欠部は、水平方向に切欠かれて形成されていることが好ましい。
【００１７】
このような光源装置によれば、切欠部が水平方向に切欠かれて形成されることにより、接続領域を冷却するための空気を水平方向に流動したときに最も冷却効率が高くなる。よって冷却空気を水平方向から導入させることができるため、光源装置が上下反転した場合においても、冷却する空気の導入方向を切り換える必要がない。従って、接続領域の冷却を効率的に行える構造とすることができる。なお、光源装置が上下反転した場合とは、光源装置を備えるプロジェクター等が、机上設置されている状態から、プロジェクターを反転して天吊り設置された状態になった場合等をさす。
【００１８】
（適用例６）上記適用例に係る光源装置において、切欠部は、水平方向の２箇所に形成されていることが好ましい。
【００１９】
このような光源装置によれば、接続領域の冷却効果を更に向上することができる。
【００２０】
（適用例７）本適用例に係るプロジェクターは、上記適用例に記載のいずれかの光源装置を備え、光源装置から射出される光束を画像情報に基づいて変調して投写することを特徴とする。
【００２１】
このようなプロジェクターによれば、上記のような光源装置を備えることにより、光源装置の副鏡において接続領域の的確な冷却がなされ、良好な状態の光束が射出されるため、良好な画像の投写が可能となる。
【００２２】
（適用例８）上記適用例に係るプロジェクターにおいて、水平方向に照明光軸に対して対称となるように形成され、副鏡に向けて冷却空気が送風される一対の送風口を備えていることが好ましい。
【００２３】
このようなプロジェクターによれば、水平方向に照明光軸に対して対称となる位置に形成され、副鏡に向けて送風する一対の送風口を備えることにより、発光部や接続領域に冷却用空気を的確に送風することができる。また、対向する２方向から送風されるため、発光部や接続領域の両側を冷却して接続領域内の温度差を小さくし、接続領域にかかる応力を下げ、リード線と金属箔の接続を維持することができる。さらにプロジェクターを上下反転させて使用する場合においても、送風の方向を切り換える必要がないため、冷却機構の簡易化と冷却効率の向上を図ることができる。
【図面の簡単な説明】
【００２４】
【図１】第１実施形態に係るプロジェクターの光学系を示す概平面図。
【図２】光源装置の発光管および副鏡を示す図。
【図３】光源装置を示す図。
【図４】第２実施形態に係る光源装置の発光管および副鏡を示す図。
【発明を実施するための形態】
【００２５】
以下、実施形態を図面に基づいて説明する。
（第１実施形態）
【００２６】
図１は、第１実施形態に係るプロジェクター１の光学系を示す概平面図である。図１を参照して、プロジェクター１の光学系（光学ユニット２）の構成および動作を説明する。なお、本実施形態では、プロジェクター１を机上面に載置する状態を基本姿勢として説明する。
【００２７】
なお、本実施形態を説明する図面（図１および以降で説明する図）は、ＸＹＺ直交座標系を用いて示す。詳細には、光源装置３から被照明領域側（照明光学装置２２側）に向けて射出される光束の照明光軸Ｌの方向をＸ軸方向とする。また、Ｘ軸方向に直交して図１における紙面に平行な方向をＹ軸方向（本実施形態では、重力方向を基準とした場合の水平方向）、Ｘ軸方向に直交して図１における紙面に垂直な方向をＺ軸方向（本実施形態では、重力方向に平行な平面方向）、とする。なお、光束の進む方向を＋Ｘ方向、＋Ｘ方向から見て右方向を＋Ｙ方向、＋Ｘ方向から見て上方向（重力方向とは逆方向）を＋Ｚ方向とする。
【００２８】
プロジェクター１は、光学ユニット２を備え、光源装置３から射出された光束を光変調装置（液晶パネル２５２）で画像情報に基づいて変調し、投写レンズ装置２６で画像光を形成し、スクリーンＳＣに拡大投写する装置である。
【００２９】
本実施形態の光学ユニット２は、光源装置３、照明光学装置２２、色分離光学装置２３、リレー光学装置２４、光学装置２５、投写レンズ装置２６、及び光学部品用筐体（図示省略）を備えている。
【００３０】
光源装置３は、発光管３０と、リフレクター４０と、副鏡５０とを有する。光源装置３は、発光管３０の発光による光束をリフレクター４０で反射させて、照明光学装置２２に射出する。また、光源装置３は、コリメート用の凹レンズ６０を有し、リフレクター４０で反射した収束光を照明光軸Ｌに対して略平行光として照明光学装置２２に射出する。なお、光源装置３の詳細な説明は図２以降で行う。
【００３１】
照明光学装置２２は、光源装置３から射出された光束に対し、照明光軸Ｌに直交する面内での照度を均一化するためのものである。照明光学装置２２は、レンズアレイ２２１，２２２、偏光変換素子２２３、及び重畳レンズ２２４を有している。偏光変換素子２２３は、光束の偏光方向を偏光方向の揃った略１種類の直線偏光として射出する。また、照明光学装置２２は、３つのフィールドレンズ２２５を有している。フィールドレンズ２２５は、光学装置２５の３つの光変調装置の前段に配置され、レンズアレイ２２２から射出された各部分光束をその中心軸に対して平行な光束に変換する。
【００３２】
色分離光学装置２３は、照明光学装置２２からの照明光束を赤色（Ｒ）光、緑色（Ｇ）光、及び青色（Ｂ）光の３つの色光に分離して、対応する３つの光変調装置に導光するものである。色分離光学装置２３は、ダイクロイックミラー２３１，２３２、及び反射ミラー２３３を有している。リレー光学装置２４は、色分離光学装置２３で分離された色光（本実施形態ではＢ光）に対し、光路の長さが他の色光の光路の長さよりも長くなるため、光の発散等による光の利用効率の低下を防止し、光変調装置（本実施形態ではＢ光用光変調装置）まで導くものである。リレー光学装置２４は、入射側レンズ２４１、リレーレンズ２４３、及び反射ミラー２４２，２４４を有している。
【００３３】
光学装置２５は、各光変調装置に入射した各色光を画像信号に基づいて変調し、色合成光学装置で合成するものである。光学装置２５は、光変調装置を構成する３つの液晶パネル２５２、３つの入射側偏光板２５１、３つの射出側偏光板２５４、及び色合成光学装置としてのクロスダイクロイックプリズム２５５を有している。また、３つの液晶パネル２５２は、Ｒ光用光変調装置としてのＲ光用液晶パネル２５２Ｒ、Ｇ光用光変調装置としてのＧ光用液晶パネル２５２Ｇ、及びＢ光用光変調装置としてのＢ光用液晶パネル２５２Ｂで構成されている。なお、本実施形態の光変調装置を構成する３つの液晶パネル２５２は透過型を採用している。
【００３４】
投写レンズ装置２６は、投写レンズ２６１を有し、光学装置２５（色合成光学装置）で合成された画像光をスクリーンＳＣに拡大投写する。なお、投写レンズ装置２６は、入射する画像光をズーム調整及びフォーカス調整する機能を有する。投写レンズ２６１は、１つ又は複数のレンズを１つのレンズ群として、複数のレンズ群を備えている。
【００３５】
光学部品用筐体は、内部に所定の照明光軸Ｌが設定され、上述した各光学装置３，２２〜２６を照明光軸Ｌに対する所定位置に収容する。なお、上述した各光学装置３，２２〜２６に関しては、種々の一般的なプロジェクターの光学系として利用されているため、詳細な説明を省略する。
【００３６】
図２は、光源装置３の発光管３０および副鏡５０を示す図であり、図２（ａ）は、発光管３０および副鏡５０の概斜視図であり、図２（ｂ）は、発光管３０および副鏡５０の概側面図である。なお、図２（ｂ）は、透視図でも示している。図３は、光源装置３を示す図であり、図３（ａ）は、光源装置３の概平断面図であり、図３（ｂ）は、発光管３０および副鏡５０を照明光学装置２２側から見た概正面図である。なお、図３は、光源装置３の冷却構造も示している。図２、図３を参照して、光源装置３の構成、および、冷却構造と動作に関して説明する。
【００３７】
最初に、光源装置３の構成を説明する。
光源装置３は、図２、図３に示すように、放電発光型の発光管３０と、楕円面型の主反射鏡であるリフレクター４０と、球面型の副反射鏡である副鏡５０と、コリメート用の凹レンズ６０と、収納用のハウジング７０とを有して構成されている。
【００３８】
発光管３０は、放電発光型のランプである。本実施形態では、放電発光型ランプとして高圧水銀ランプを用いている。発光管３０は、中央が球面形状に膨出した透光性の石英ガラス管から構成されている。そして、発光管３０は、球面形状内部に放電空間３３１を有し、放電により発光して光束を射出する発光部３３と、照明光軸Ｌに沿って発光部３３の両端側に延びる円柱形状の第１封止部３１および第２封止部３２とを備えている。なお、発光管３０は、放電発光型ランプとして高輝度発光する種々の発光管を採用でき、例えば、メタルハライドランプ等を採用できる。
【００３９】
発光管３０は、第１封止部３１、第２封止部３２内にそれぞれ封止された第１金属箔３１１、第２金属箔３２１を有している。第１金属箔３１１、第２金属箔３２１の発光部３３側の端部には、それぞれ電気的に一端部が接続され、発光部３３に向けて延出する第１リード線３１２、第２リード線３２２を有している。第１リード線３１２、第２リード線３２２の他端部には、それぞれ電極３１２ａ，３２２ａが形成されている。電極３１２ａ，３２２ａは、発光部３３の放電空間３３１内に露出しており、照明光軸Ｌに沿って近接対向して配置されている。また、第１金属箔３１１、第２金属箔３２１の発光部３３とは逆側となる端部には、それぞれ電気的に接続する第３リード線３１３、第４リード線３２３を有している。
【００４０】
発光部３３の放電空間３３１には、水銀、希ガス、少量の金属ハロゲン化物等を含むガスが封入されている。電極３１２ａ，３２２ａおよび第１リード線３１２、第２リード線３２２は、例えばタングステンから構成されている。第１金属箔３１１、第２金属箔３２１は、例えばモリブデン箔から構成されている。また、第３リード線３１３、第４リード線３２３は、例えばモリブデンまたはタングステンから構成されている。
【００４１】
このように構成される発光管３０に対して、第３リード線３１３、第４リード線３２３に適切な電圧を印加することにより、電極３１２ａ，３２２ａ間でアーク放電が生じ、放電空間３３１内が高輝度で発光する。これにより、光束が発光部３３から放射状に射出される。
【００４２】
リフレクター４０は、発光管３０から射出された光束を照明光学装置２２に向けて反射する主反射鏡として動作する。リフレクター４０は、楕円曲面状に形成され、後述する主反射面としての反射膜４３を含め、その回転中心軸（図示省略）が照明光軸Ｌと略一致する形状となっている。リフレクター４０は、楕円曲面状に形成されるリフレクター本体４１と、発光管３０の第１封止部３１の端部を固定するための筒部４２とを備えて一体に形成されている。なお、反射膜４３は、リフレクター本体４１の内面側の凹面となる楕円曲面の表面上に誘電体多層膜として構成されている。また、リフレクター４０は、石英ガラス等から構成されている。
【００４３】
筒部４２は、リフレクター本体４１の回転中心軸を中心としてリフレクター本体４１の反射膜４３の反対側の面（リフレクター本体４１の背面）に延設された筒状体である。筒部４２の内側には、第１封止部３１の端部を挿通して固定するための開口部４２１が、回転中心軸を中心として貫通して形成されている。
【００４４】
なお、発光管３０は、第１封止部３１の端部を開口部４２１に挿通し、アライメントした後、開口部４２１と第１封止部３１との隙間にセメント等の無機系接着剤Ｃを充填することにより、リフレクター４０の筒部４２に固定される。
【００４５】
副鏡５０は、発光管３０から射出された光束の一部（前方に射出された光束）を発光部３３に向けて反射する副反射鏡として動作する。副鏡５０は、発光部３３の略半分を覆い、リフレクター４０の反射膜４３と対向して配置される。副鏡５０は、発光部３３の第２封止部３２側の略半分を覆い球面状に形成される本体部としての副鏡本体５１と、副鏡本体５１の外面側に形成されて発光管３０の第２封止部３２に固定して副鏡本体５１を支持する取付部５２とを備えて一体に形成されている。
【００４６】
また、副鏡５０は、後述する反射膜５３を含め、その回転中心軸（図示省略）が照明光軸Ｌと略一致する形状となっている。副鏡５０は、石英ガラス等から構成されている。副鏡本体５１は、内面側の凹面となる球面の表面上に誘電体多層膜で構成される反射膜５３が形成されている。
【００４７】
反射膜５３は、副反射面として動作し、発光管３０から射出された光束を発光部３３に向けて反射する。反射膜５３で反射された光束は、発光管３０を透過してリフレクター本体４１の反射膜４３に入射する。なお、反射膜４３に入射した光束は、照明光学装置２２に向けて反射される。この副鏡５０の動作により、発光管３０から射出された光束の利用効率を高めている。
【００４８】
取付部５２は、副鏡本体５１の回転中心軸を中心として副鏡本体５１の外面（副鏡本体５１の背面）に延設された管状体である。取付部５２の内側には、第２封止部３２に挿通して固定するための開口部５２１が、回転中心軸を中心として貫通して形成されている。副鏡５０は、第２封止部３２を開口部５２１に挿通し、アライメントした後、開口部５２１と第２封止部３２との隙間にセメント等の無機系接着剤Ｃを充填することにより、取付部５２が第２封止部３２に固定される。
【００４９】
なお、取付部５２は、第２封止部３２に固定した場合、図２、図３に示すように、第２封止部３２に内蔵する第２リード線３２２と第２金属箔３２１との接続領域Ｔに相対する部位を切り欠いた切欠部５２５が形成されている。切欠部５２５は、取付部５２の外面から内面（開口部５２１）に貫通する。切欠部５２５は、本実施形態では、取付部５２の水平方向となるＹ軸方向に形成されている。詳細には、切欠部５２５は、照明光軸Ｌを中心に水平方向２箇所（−Ｙ方向、＋Ｙ方向）に、第１切欠部５２５ａと第２切欠部５２５ｂとが形成されている。また、それぞれの切欠部５２５は、副鏡本体５１とは逆側となる取付部５２の端部５２２（図２参照）を開口して形成されている。
【００５０】
取付部５２を第２封止部３２に固定する場合、上述したように、第２封止部３２を開口部５２１に挿通し、アライメントした後、２つの切欠部５２５を形成して残った取付部５２（開口部５２１）の端部５２２側の領域と、この取付部５２の端部５２２側の領域に相対する第２封止部３２の領域との隙間に無機系接着剤Ｃを充填する。この固定により、２つの切欠部５２５を介して、第２リード線３２２と第２金属箔３２１との接続領域Ｔに対応する第２封止部３２の領域が、取付部５２および無機系接着剤Ｃで完全に覆われることなく、露出する状態（図２（ｂ）参照）となる。
【００５１】
また、取付部５２の無機系接着剤Ｃによる第２封止部３２への固定により、副鏡５０は、図２（ａ）に示すように、切欠部５２５から副鏡本体５１と発光部３３との隙間に通じて空気を通す通気部５２８が形成される。詳細には、通気部５２８は、切欠部５２５の副鏡本体５１側の取付部５２と第２封止部３２との隙間から、副鏡本体５１と発光部３３との隙間に通じている。
【００５２】
ハウジング７０は、図３（ａ）に示すように、樹脂等によって形成され、リフレクター４０と凹レンズ６０とをアライメントした状態で固定する。ハウジング７０は、リフレクター４０と凹レンズ６０との間に形成される内部空間を周囲から遮蔽しており、発光管３０からの不要な光束が迷光として外部に漏れ出すことを防止している。
【００５３】
次に、光源装置３の冷却構造と動作に関して説明する。
ハウジング７０には、図３（ａ）に示すように、ハウジング７０の側面のうち水平方向（−Ｙ方向、＋Ｙ方向）の壁面には、照明光軸Ｌに対して対称となる位置に一対の第１送風口７１、第２送風口７２が形成されている。また、図示省略するが、垂直方向（−Ｚ方向、＋Ｚ方向）の壁面には、排気口が１つずつ形成されている。第１送風口７１、第２送風口７２は、冷却用空気Ａを外部から取り込むためのもので、排気口は、冷却後の空気を外部に排出するためのものである。
【００５４】
なお、プロジェクター１には、図３（ａ）に示すように、冷却機構８０が構成されており、第１送風口７１、第２送風口７２、および排気口も冷却機構を構成する構成部となる。なお、冷却機構８０は、第１送風口７１、第２送風口７２、排気口の他、プロジェクター１の本体内部に取り込んだ外気を第１送風口７１、第２送風口７２に流動するための、第１冷却ファン８１、第２冷却ファン８２と、第１冷却ファン８１、第２冷却ファン８２と第１送風口７１、第２送風口７２とを結ぶ第１ダクト８３、第２ダクト８４とを備えている。
【００５５】
第１送風口７１、第２送風口７２は、副鏡５０の位置よりも前方向（＋Ｘ方向）に開口されている。そして、第１冷却ファン８１、第２冷却ファン８２、および第１ダクト８３、第２ダクト８４は、第１送風口７１、第２送風口７２からハウジング７０の内部空間に流入した冷却用空気Ａが、副鏡５０（詳細には、それぞれ対応する切欠部５２５）に向けて流動するように配設されている。
【００５６】
詳細には、図３に矢印で示すように、第１冷却ファン８１、第１ダクト８３を流動した冷却用空気Ａは、第１送風口７１からハウジング７０の内部空間に流入し、−Ｙ側の第１切欠部５２５ａに吹き付ける。また、第２冷却ファン８２、第２ダクト８４を流動した冷却用空気Ａは、第２送風口７２からハウジング７０の内部空間に流入し、＋Ｙ側の第２切欠部５２５ｂに吹き付ける。なお、冷却用空気Ａは、図３（ｂ）に示すように、水平方向からそれぞれ対応する切欠部５２５に吹き付ける。
【００５７】
切欠部５２５に吹き付けた冷却用空気Ａは、切欠部５２５により露出する第２封止部３２に吹き付けることにより、切欠部５２５に相対する接続領域Ｔで発生する熱を奪う。接続領域Ｔでの熱を奪い温められた冷却用空気Ａは、各排気口から光源装置３外部に排気される。この冷却用空気Ａの動作により、第２リード線３２２と第２金属箔３２１との接続領域Ｔの過熱を抑制して冷却することができる。
【００５８】
また、冷却用空気Ａは、切欠部５２５に吹き付けると共に、図２（ａ）に矢印で示すように、通気部５２８を介して、副鏡本体５１と発光部３３との隙間に流動する。この流動により、冷却用空気Ａは、接続領域Ｔを冷却すると共に、発光部３３も冷却する。
【００５９】
上述した第１実施形態によれば、以下の効果が得られる。
本実施形態の光源装置３によれば、副鏡５０の取付部５２に、第２リード線３２２と第２金属箔３２１との接続領域Ｔに対応する第２封止部３２の領域を露出させる切欠部５２５を有している。これにより、接続領域Ｔを冷却することができ、接続領域Ｔの過熱を抑制することができる。
【００６０】
本実施形態の光源装置３によれば、副鏡５０は、通気部５２８を有していることにより、通気部５２８を介して、切欠部５２５に吹き付けた冷却用空気Ａの一部を副鏡本体５１と発光部３３との隙間に流動することができる。また、通気部５２８を有することにより切欠部５２５に流れる空気の量も増加させることができる。これにより、接続領域Ｔを冷却すると共に、発光部３３も冷却することができる。
【００６１】
本実施形態の光源装置３によれば、副鏡５０の取付部５２に有する切欠部５２５は、取付部５２の端部５２２を開口している。これにより、第２リード線３２２と第２金属箔３２１との接続領域Ｔに加えて、第２金属箔３２１の領域に対応する第２封止部３２の領域を露出することができるため、第２金属箔３２１の過熱を抑制することができる。これにより、接続領域Ｔの冷却効果を更に向上することができる。
【００６２】
本実施形態の光源装置３によれば、副鏡５０の取付部５２に有する切欠部５２５は、水平方向に形成されている。この構成により、接続領域Ｔを冷却するための冷却用空気Ａを水平方向から導入させることができるため、光源装置３が上下反転した場合においても、冷却用空気Ａの導入方向を切り換える必要がない。従って、接続領域Ｔの冷却を効率的に行える構造とすることができる。また、切欠部５２５は、水平方向の２箇所に形成されていることにより、接続領域Ｔの冷却効果を更に向上することができる。
【００６３】
本実施形態のプロジェクター１によれば、上述の光源装置３を備えることにより、光源装置３の副鏡５０において接続領域Ｔの的確な冷却がなされ、良好な状態の光束が射出されるため、良好な画像の投写が可能となる。
【００６４】
本実施形態のプロジェクター１によれば、冷却機構８０を備え、水平方向から副鏡５０に向けて送風する一対の第１送風口７１、第２送風口７２により、接続領域Ｔおよび発光部３３に冷却用空気Ａを的確に送風することができる。また、対向する２方向から送風されるため、発光部３３や接続領域Ｔの両側を冷却して接続領域Ｔ内の温度差を小さくし、接続領域Ｔにかかる応力を下げ、第２リード線３２２と第２金属箔３２１の接続を維持することができる。さらにプロジェクター１を上下反転させて使用する場合においても、送風の方向を切り換える必要がないため、冷却機構８０の簡易化と冷却効率の向上を図ることができる。
（第２実施形態）
【００６５】
図４は、第２実施形態に係る光源装置３の発光管３０および副鏡５５を示す図であり、図４（ａ）は、発光管３０および副鏡５５の概斜視図であり、図４（ｂ）は、発光管３０および副鏡５５の概側面図である。図４を参照して、副鏡５５に有する切欠部５２６の構造を説明する。
【００６６】
本実施形態の副鏡５５は、第１実施形態の副鏡５０と比較して、切欠部５２６の形状が、第１実施形態の切欠部５２５の形状と異なる。それ以外の構成部に関しては、第１実施形態と同様となっている。なお、第１実施形態と同様の構成には同様の符号を付記している。
【００６７】
図４に示すように、本実施形態の切欠部５２６は、切り欠き形状が、副鏡本体５１から離れるに従って（取付部５２の端部５２２側に行くに従って）切り欠き幅が狭まる形状を有している。詳細には、副鏡本体５１側の切り欠き幅をＷ１、取付部５２の端部５２２での切り欠き幅をＷ２とした場合、Ｗ１に比較してＷ２が小さく（狭く）形成されている。なお、本実施形態の切欠部５２６は、第１実施形態と同様に、水平方向に、第１切欠部５２６ａと第２切欠部（図示省略）の２つの切欠部５２６が形成されている。
【００６８】
上述した第２実施形態によれば、第１実施形態と同様の効果が得られる他、以下の効果を得ることができる。
【００６９】
本実施形態の光源装置３によれば、副鏡５５の取付部５２に、切り欠き幅を異ならせた切欠部５２６（第１切欠部５２６ａ、第２切欠部）が形成される。そして、切欠部５２６は、副鏡本体５１から離れるに従って（取付部５２の端部５２２側に行くに従って）切り欠き幅が狭まる形状を有している。これにより、接続領域Ｔに相対する部位の切欠面積を確保して接続領域Ｔの過熱を抑制できると共に、接続領域Ｔから離れた端部５２２側の取付部５２と第２封止部３２との接着面積を拡大することができることで、副鏡５５の第２封止部３２への固定力を向上させることができる。
【００７０】
なお、上述した実施形態に限定されず、その要旨を逸脱しない範囲において種々の変更や改良等を加えて実施することが可能である。変形例を以下に述べる。
【００７１】
前記第１実施形態の光源装置３において、副鏡５０に有する切欠部５２５は、取付部５２に形成されている。しかし、切欠部は、副鏡本体５１にかけて形成されていてもよい。これは、第２実施形態においても同様である。
【００７２】
前記第１実施形態の光源装置３において、副鏡５０に有する切欠部５２５は、取付部５２の端部５２２を開口して形成されている。しかし、切欠部は、端部５２２に至らずに形成されていてもよい。これは、第２実施形態においても同様である。
【００７３】
前記第１実施形態の光源装置３において、副鏡５０に有する切欠部５２５は、水平方向の２箇所に形成されている。しかし、水平方向に１箇所形成されていてもよい。これは、第２実施形態においても同様である。
【００７４】
前記第１実施形態の光源装置３において、副鏡５０に有する切欠部５２５は、水平方向に形成されている。しかし、水平方向とは異なる方向に形成されていてもよい。これは、第２実施形態においても同様である。
【００７５】
前記第１実施形態の光源装置３において、副鏡５０には、通気部５２８が形成されている。しかし、通気部５２８は形成せずに、切欠部５２５の外周に無機系接着剤Ｃなどを充填して副鏡５０を第２封止部３２に固定する構造としてもよい。この場合、副鏡５０の第２封止部３２への固定力を向上させることができ、取付部５２の第２封止部３２に沿った長さを短くすることができる。これは、第２実施形態においても同様である。
【００７６】
前記第１実施形態の光源装置３において、冷却機構８０は、第１冷却ファン８１と第２冷却ファン８２の２つの冷却ファンを用いている。しかし、冷却ファンは１つ用いることでもよい。この場合、１つの冷却ファンから送風される冷却用空気Ａを流通させるダクトを２つに分岐して、それぞれ、第１送風口７１、第２送風口７２に接続することでもよい。これは、第２実施形態においても同様である。
【００７７】
前記第１、第２実施形態の光源装置３において、リフレクター４０は、楕円面型を用いている。しかし、放物面型を用いてもよい。この場合、凹レンズ６０は用いなくてもよい。そして、光源装置として、凹レンズ６０の代わりに、リフレクターで反射した光束を透過する透光性のガラス部材等を用いることでよい。
【００７８】
前記第１、第２実施形態のプロジェクター１において、光学ユニット２は、Ｒ光、Ｇ光、Ｂ光に対応する３つの光変調装置を用いる、いわゆる３板方式を採用している。しかし、これに限られず、単板方式の光変調装置を採用してもよい。また、コントラストを向上させるための光変調装置を追加して採用してもよい。
【００７９】
前記第１、第２実施形態のプロジェクター１において、光学ユニット２は、透過型の光変調装置（透過型の液晶パネル２５２）を採用している。しかし、これに限られず、反射型の光変調装置を採用してもよい。
【００８０】
前記第１、第２実施形態のプロジェクター１において、光学ユニット２は、光変調装置として液晶パネル２５２を採用している。しかし、これに限られず、一般に、入射光束を画像情報に基づいて変調するものであればよく、例えば、マイクロミラー型の光変調装置等、他の方式の光変調装置を採用することができる。なお、マイクロミラー型の光変調装置としては、例えば、ＤＭＤ（Digital Micromirror Device）を採用することができる。
【００８１】
前記第１、第２実施形態のプロジェクター１において、光学ユニット２は、光源装置３から射出された光束の照度を均一化する照明光学装置２２として、レンズアレイ２２１，２２２からなるレンズインテグレーター光学系を採用している。しかし、これに限定されるものではなく、導光ロッドからなるロッドインテグレーター光学系も採用することができる。
【符号の説明】
【００８２】
１…プロジェクター、３…光源装置、３０…発光管、３１…第１封止部、３２…第２封止部、３３…発光部、４０…リフレクター、４１…リフレクター本体、４３…反射膜、５０…副鏡、５１…副鏡本体、５２…取付部、５３…反射膜、５５…副鏡、７１…第１送風口、７２…第２送風口、８０…冷却機構、３２１…第２金属箔、３２２…第２リード線、５２２…端部、５２５…切欠部、５２５ａ…第１切欠部、５２５ｂ…第２切欠部、５２６…切欠部、５２６ａ…第１切欠部、５２８…通気部、Ａ…冷却用空気、Ｌ…照明光軸、Ｔ…接続領域。
【図１】
2012089356.tif 000003
【図２】
2012089356.tif 000004
【図３】
2012089356.tif 000005
【図４】
2012089356.tif 000006